(57)【要約】【課題】  全系が小型で、高ズーム比で、全ズーム範囲にわたりゴーストが生じにくく且つ高い光学性能を有するズームレンズを得ること。【解決手段】  本発明に係るズームレンズＺＬは、最も像側から数えて２番目に配置された第Ｎ−１レンズ群Ｙ、最も像側に配置された第Ｎレンズ群Ｚを有する。第Ｎ−１レンズ群Ｙおよび第Ｎレンズ群Ｚは、それぞれが正レンズおよび負レンズを含む接合レンズからなり且つズーミングに際して移動する。第Ｎ−１レンズ群Ｙおよび第Ｎレンズ群Ｚの少なくとも一方のレンズ群に含まれる接合レンズについての接合面の曲率半径と接合面から像面までの距離の関係、第Ｎ−１レンズ群Ｙおよび第Ｎレンズ群Ｚの広角端から望遠端へのズーミングに際しての移動量のうち大きいほうの値、広角端におけるレンズ全長、広角端における前記ズームレンズの焦点距離、広角端におけるバックフォーカスを適切に定めたことを特徴とする。【選択図】  図１
2020086304.tif 000002
【特許請求の範囲】
【請求項１】
物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有し、ズーミングに際して隣りあうレンズ群の間隔が変化するズームレンズであって、
前記第Ｎ−１レンズ群および前記第Ｎレンズ群は、それぞれが正レンズおよび負レンズを含む接合レンズからなり且つズーミングに際して移動し、
前記第Ｎ−１レンズ群および前記第Ｎレンズ群の少なくとも一方のレンズ群は、接合レンズの接合面の曲率半径をＲｃｅｍ、前記接合面から前記ズームレンズの最も像側の面までの光軸上の距離にバックフォーカスを加えた長さをｌｅｎとするとき、
０．００＜ｌｅｎ／Ｒｃｅｍ＜３．５０
なる条件式を満たす接合面を含む接合レンズを有し、
前記第Ｎ−１レンズ群および前記第Ｎレンズ群の広角端から望遠端へのズーミングに際しての移動量のうち大きいほうをｍ＿ｍａｘ、広角端における前記ズームレンズの全長をｔｄｗ、広角端における前記ズームレンズの焦点距離をｆｗ、広角端における前記ズームレンズのバックフォーカスをｓｋｗとするとき、
０．２０＜ｍ＿ｍａｘ／ｔｄｗ＜１０．００
１．２０＜ｆｗ／ｓｋｗ＜２．６０
なる条件式を満たすことを特徴とするズームレンズ。
【請求項２】
前記第Ｎ−１レンズ群および前記第Ｎレンズ群の少なくとも一方のレンズ群は、そのレンズ群に含まれる正レンズの焦点距離をｆｐ、該正レンズに接合された負レンズの焦点距離をｆｎ、とするとき、
０．５０＜ｆｐ／｜ｆｎ｜＜２．５０
なる条件式を満たす接合レンズを有することを特徴とするズームレンズ。
【請求項３】
前記第Ｎ−１レンズ群および前記第Ｎンズ群の少なくとも一方のレンズ群は、フォーカシングに際して移動することを特徴とする請求項１又は２に記載のズームレンズ。
【請求項４】
前記第Ｎ−１レンズ群がフォーカシングに際して移動し、
前記第Ｎ−１レンズ群の焦点距離をｆｙ、前記第Ｎンズ群の焦点距離をｆｚとするとき、
０．１５＜｜ｆｙ／ｆｚ｜＜２．００
なる条件式を満たすことを特徴とする請求項３に記載のズームレンズ。
【請求項５】
前記第Ｎ−１レンズ群および前記第Ｎンズ群の少なくとも一方のレンズ群は、１つの接合レンズからなることを特徴とする請求項１乃至４のいずれか１項に記載のズームレンズ。
【請求項６】
前記１つの接合レンズは正レンズと負レンズからなることを特徴とする請求項１乃至５のいずれか１項に記載のズームレンズ。
【請求項７】
前記第Ｎ−１レンズ群および前記第Ｎンズ群の少なくとも一方は、負の屈折力を有することを特徴とする請求項１乃至６のいずれか１項に記載のズームレンズ。
【請求項８】
第２レンズ群を構成する全てのレンズは、球面レンズであることを特徴とする請求項１乃至７のいずれか１項に記載のズームレンズ。
【請求項９】
開口絞りを有し、前記開口絞りよりも物体側に配置される全てのレンズは、球面レンズであることを特徴とする請求項１乃至８のいずれか１項に記載のズームレンズ。
【請求項１０】
物体側から像側へ順に配置された、前記第１レンズ群、前記第２レンズ群、前記第３レンズ群、正の屈折力の第４レンズ群、前記第Ｎ−１レンズ群としての負の屈折力の第５レンズ群、前記第Ｎレンズ群としての負の屈折力の第６レンズ群からなることを特徴とする請求項１乃至９のいずれか１項に記載のズームレンズ。
【請求項１１】
物体側から像側へ順に配置された、前記第１レンズ群、前記第２レンズ群、前記第３レンズ群、負の屈折力の第４レンズ群、正の屈折力の第５レンズ群、前記第Ｎ−１レンズ群としての負の屈折力の第６レンズ群、前記第Ｎレンズ群としての負の屈折力の第７レンズ群からなることを特徴とする請求項１乃至９のいずれか１項に記載のズームレンズ。
【請求項１２】
物体側から像側へ順に配置された、前記第１レンズ群、前記第２レンズ群、前記第３レンズ群、前記第Ｎ−１レンズ群としての負の屈折力の第４レンズ群、前記第Ｎレンズ群としての負の屈折力の第５レンズ群からなることを特徴とする請求項１乃至９のいずれか１項に記載のズームレンズ。
【請求項１３】
請求項１乃至１２のいずれか１項に記載のズームレンズと、
該ズームレンズによって形成された像を受光する撮像素子を有することを特徴とする撮像装置。
【発明の詳細な説明】
【技術分野】
【０００１】
本発明は、ズームレンズ及び撮像装置に関する。
【背景技術】
【０００２】
全系が小型で、高ズーム比で、高い光学性能を有し、かつゴーストの発生を抑制可能なズームレンズが要望されている。
【０００３】
特許文献１は、正の屈折力の第１レンズ群、負の屈折力の第２レンズ群、正の屈折力の第３レンズ群、負の屈折力の第４レンズ群、正の屈折力の第５レンズ群からなり、第４レンズ群と第５レンズ群を接合レンズのみで構成したズームレンズを開示している。
【先行技術文献】
【特許文献】
【０００４】
【特許文献１】特開２０１７−１５６４２８号公報
【発明の概要】
【発明が解決しようとする課題】
【０００５】
特許文献１に記載のズームレンズのように、比較的像側のレンズ群を接合レンズのみで構成して空気とレンズとの境界面数を低減することによって、ゴーストの発生を抑制することができる。しかしながら、特許文献１のズームレンズの高ズーム比化を図った場合、広角端から望遠端へのズーミングの途中で像面においてゴーストが集光する状態が起こりやすくなりゴーストが目立った撮像画像が得られるおそれがある。
【０００６】
そこで本発明は、全系が小型で、高ズーム比で、全ズーム範囲にわたりゴーストが生じにくく且つ高い光学性能を有するズームレンズ及び撮像装置を提供することを目的とする。
【課題を解決するための手段】
【０００７】
本発明の一実施例に係るズームレンズは、物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有し、ズーミングに際して隣りあうレンズ群の間隔が変化するズームレンズであって、前記第Ｎ−１レンズ群および前記第Ｎレンズ群は、それぞれが正レンズおよび負レンズを含む接合レンズからなり且つズーミングに際して移動し、前記第Ｎ−１レンズ群および前記第Ｎレンズ群の少なくとも一方のレンズ群は、接合レンズの接合面の曲率半径をＲｃｅｍ、前記接合面から前記ズームレンズの最も像側の面までの光軸上の距離にバックフォーカスを加えた長さをｌｅｎとするとき、
０．００＜ｌｅｎ／Ｒｃｅｍ＜３．５０
なる条件式を満たす接合面を含む接合レンズを有し、
前記第Ｎ−１レンズ群および前記第Ｎレンズ群の広角端から望遠端へのズーミングに際しての移動量のうち大きいほうをｍ＿ｍａｘ、広角端における前記ズームレンズの全長をｔｄｗ、広角端における前記ズームレンズの焦点距離をｆｗ、広角端における前記ズームレンズのバックフォーカスをｓｋｗとするとき、
０．２０＜ｍ＿ｍａｘ／ｔｄｗ＜１０．００
１．２０＜ｆｗ／ｓｋｗ＜２．６０
なる条件式を満たすことを特徴とするズームレンズ。
【発明の効果】
【０００８】
本発明によれば、全系が小型で、高ズーム比で、全ズーム範囲にわたりゴーストが生じにくく且つ高い光学性能を有するズームレンズ及び撮像装置を得ることができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】ゴーストを説明する図である。
【図１４】実施例の撮像装置の構成を示す図である。
【発明を実施するための形態】
【００１０】
以下、本発明の実施例に係るズームレンズ及び撮像装置について、添付の図面に基づいて詳細に説明する。
【００１１】
［ズームレンズの実施例］
各実施例のズームレンズは、デジタルスチルカメラ、放送用カメラ、銀塩フィルム用カメラ、監視用カメラ等の撮像装置に用いられる撮影光学系である。
【００１２】
図１、３、５、７、９、１１に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。無限遠物体から最至最近距離物体へのフォカシングに際して、フォーカスレンズ群は、図中の破線矢印に示すように移動する。
【００１３】
デジタルスチルカメラや放送用カメラなどに各実施例のズームレンズを使用する場合は、像面ＩＰは、ＣＣＤセンサまたはＣＭＯＳセンサ等の撮像素子（光電変換素子）の撮像面に相当する。銀塩フィルム用カメラに各実施例のズームレンズを使用する場合は、像面ＩＰはフィルム面に相当する。
【００１４】
図２、４、６、８、１０、１２は、各実施例のズームレンズの収差図である。球面収差図においてＦｎｏはＦナンバーである。球面収差図において実線はｄ線（波長５８７．６ｎｍ）、二点鎖線はｇ線（波長４３５．８ｎｍ）である。非点収差図において破線Ｍはメリディオナル像面、実線Ｓはサジタル像面である。歪曲収差はｄ線について示している。倍率色収差はｇ線について示している。ωは半画角（度）である。
【００１５】
本明細書において、「レンズ群」は、複数のレンズから構成されていてもよいし、１枚のレンズから構成されていてもよい。「バックフォーカス」は、ズームレンズの最終面（最も像側の面）から像面ＩＰまでの光軸上の距離を空気換算長により表記した長さである。「レンズ全長」は、ズームレンズの最前面（最も物体側の面）から最終面までの光軸上の距離にバックフォーカスを加えたものである。ある材料のアッベ数νｄは、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、νｄ＝（Ｎｄ−１）／（ＮＦ−ＮＣ）として表す。また、「広角端」はズームレンズの焦点距離が最も短くなるときのズーム位置であり、「望遠端」はズームレンズの焦点距離が最も長くなるときのズーム位置である。
【００１６】
本実施例のズームレンズは、物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有する。そして、ズーミングに際して隣りあうレンズ群の間隔が変化する。第１レンズ群、第２レンズ群、第３レンズ群をこのような構成にすることで、比較的高ズーム比のズームレンズを得ることができる。
【００１７】
第Ｎ−１レンズ群および第Ｎレンズ群は、それぞれが正レンズと負レンズとを含む接合レンズからなり且つズーミングに際して移動する。
【００１８】
第Ｎ−１レンズ群と第Ｎレンズ群を接合レンズから構成することによって、像面に比較的近い側に配置されたレンズ群において、レンズと空気の境界面を少なくなるように構成している。これにより、像面に配置された撮像素子等によって物体側に反射された光がズームレンズで再び像側に向かって反射されて生じるゴーストを低減することができる。
【００１９】
また、倍率色収差補正用のレンズは、軸外光束の主光線の高さが高い位置に配置するほど補正効果が高くなる。そこで、図１３に示すように、軸外光束の高さが高くなる像面に近い位置に、正レンズと負レンズを含むレンズ群を配置することによって倍率色収差の補正効果を高めている。また、１つの接合レンズに含まれる正レンズおよび負レンズの数は１枚ずつに限られるものではなく複数あってもよい。
【００２０】
さらに、第Ｎ−１レンズ群および第Ｎレンズ群がズーミングに際して移動することにより、全ズーム範囲でゴーストを発生しづらくし、かつ全ズーム範囲で高い光学性能を得ることができる。
【００２１】
第Ｎ−１レンズ群および第Ｎレンズ群がズーミングの少なくとも一方が有する接合レンズは、以下の条件式（１）を満たす接合面を含む。
０．００＜ｌｅｎ／Ｒｃｅｍ＜３．５０    ・・・（１）
【００２２】
ここで、接合レンズの接合面の曲率半径をＲｃｅｍ、接合面からズームレンズの最も像側の面までの光軸上の距離にバックフォーカスを加えた長さをｌｅｎとする。なお、条件式（１）を満たす接合面を有する接合レンズはズームレンズにおいて１つ以上あればよい。
【００２３】
さらに、本実施例のズームレンズは、以下の条件式（２）、（３）を満たす。
０．２０＜ｍ＿ｍａｘ／ｔｄｗ＜１０．０  ・・・（２）
１．２０＜ｆｗ／ｓｋｗ＜２．６０        ・・・（３）
【００２４】
ここで、第Ｎ−１レンズ群および第Ｎレンズ群の広角端から望遠端へのズーミングに際しての移動量のうち大きいほうをｍ＿ｍａｘ、広角端におけるズームレンズの全長をｔｄｗ、広角端におけるズームレンズの焦点距離をｆｗ、広角端におけるズームレンズのバックフォーカスをｓｋｗとする。
【００２５】
条件式（１）は、第Ｎ−１レンズ群および第Ｎレンズ群の少なくとも一方のレンズ群が有する接合レンズの接合面の曲率半径と、接合面から像面までの長さの関係に関する。条件式（１）の下限値を下回ることは物理的に困難である。条件式（１）の上限値を上回ると接合面の曲率半径が小さく接合レンズの屈折力が強くなる。これにより、倍率色収差等の補正が困難となるため好ましくない。
【００２６】
条件式（２）は、第Ｎ−１レンズ群および第Ｎレンズ群の少なくとも一方のレンズ群のズーミングに際しての移動量と広角端におけるレンズ全長の関係に関する。条件式（２）の下限値を下回ると、広角端においてレンズ全長が長くなり、ズームレンズの小型化が困難になるため好ましくない。条件式（２）の上限値を上回ると、広角端におけるレンズ全長を短くするために各レンズ群の屈折力を増大することが必要となる。これにより、像面湾曲等の諸収差が大きくなって高い光学性能を得ることが困難になるため好ましくない。
【００２７】
条件式（３）は、広角端における、ズームレンズの焦点距離とバックフォーカスに関する。条件式（３）の下限値を下回ると、バックフォーカスが長くなってレンズ全長が長くなり、ズームレンズの小型化が困難になるため好ましくない。条件式（３）の上限値を上回ってバックフォーカスが短くなると、上限値を上回って、広角端においてバックフォーカスが短くなりすぎると、像面への軸外光線の最大入射角が大きくなる。この結果、撮像素子による周辺像高の光量落ちや色付きといった、所謂シェーディングが発生するため、好ましくない。
【００２８】
このように、上記構成および条件式（１）〜（３）を同時に満たすことにより、本実施例に係るズームレンズは、ゴースト等のゴーストが撮像素子に入射することを抑制し、かつ、高ズーム比で全ズーム範囲に亘り高い光学性能を得ることができる。
【００２９】
上記レンズ構成および条件式を満たすことにより、本実施例のズームレンズは、全系が小型で、高ズーム比で、全ズーム範囲にわたりゴーストが生じにくく且つ高い光学性能を有する。
【００３０】
なお、好ましくは条件式（１）〜（３）の数値範囲を次のように設定するとよい。
０．００＜ｌｅｎ／Ｒｃｅｍ＜３．００      ・・・（１ａ）
０．２０５＜ｍ＿ｍａｘ／ｔｄｗ＜７．００  ・・・（２ａ）
１．２０５＜ｆｗ／ｓｋｗ＜２．５５        ・・・（３ａ）
【００３１】
さらに好ましくは、条件式（１）〜（３）の数値範囲を次のように設定するとよい。
０．００＜ｌｅｎ／Ｒｃｅｍ＜２．６０      ・・・（１ｂ）
０．２０８＜ｍ＿ｍａｘ／ｔｄｗ＜３．００  ・・・（２ｂ）
１．２０８＜ｆｗ／ｓｋｗ＜２．５３        ・・・（３ｂ）
【００３２】
さらに、第Ｎ−１レンズ群および第Ｎレンズ群の少なくとも一方のレンズ群は、そのレンズ群に含まれる正レンズの焦点距離をｆｐ、該正レンズに接合された負レンズの焦点距離をｆｎ、とするとき、以下の条件式（４）を満たすことが好ましい。
０．５０＜ｆｐ／｜ｆｎ｜＜２．５０  ・・・（４）
【００３３】
条件式（４）は、第Ｎ−１レンズ群およびＮ群の接合レンズを構成する正レンズと負レンズの焦点距離に関する。条件式（４）の下限値を下回った場合も上限値を上回った場合も、負レンズの焦点距離と正レンズの焦点距離のバランス、すなわち負レンズの屈折力と正レンズの屈折力のバランスが悪くなり、倍率色収差の補正が困難になるため好ましくない。
【００３４】
また、第Ｎ−１レンズ群および第Ｎンズ群の少なくとも一方のレンズ群が、フォーカシングに際して移動することが好ましい。ズームレンズの比較的像側に配置された小径のレンズ群をフォーカスレンズ群とすることにより、フォーカシングのための駆動機構を小型化し、ズームレンズを小型化することができる。
【００３５】
特に、第Ｎ−１レンズ群がフォーカシングに際して移動する場合は、第Ｎ−１レンズ群の焦点距離をｆｙ、第Ｎンズ群の焦点距離をｆｚとするとき、以下の条件式（５）を満たすことが好ましい。
０．１５＜｜ｆｙ／ｆｚ｜＜２．００  ・・・（５）
【００３６】
条件式（５）は、第Ｎ−１レンズ群と第Ｎレンズ群の焦点距離の比に関する。条件式（５）の下限値を下回って第Ｎ−１レンズ群の焦点距離が短くなる（焦点距離の絶対値が小さくなる）と、第Ｎ−１レンズ群の屈折力が強くなってフォーカシングに際しての収差変動が大きくなるため好ましくない。
【００３７】
条件式（５）の上限値を上回って第Ｎ−１レンズ群の焦点距離が長くなる（焦点距離の絶対値が大きくなる）と、第Ｎ−１レンズ群の屈折力が弱くなってフォーカシングに際しての移動量が大きくなる。これにより、フォーカシング用の駆動機構が大型化し、レンズ全長が長くなり、ズームレンズを小型に構成することが困難になるため好ましくない。
【００３８】
なお、条件式（４）、（５）のうち少なくとも１つの条件式を満たせば前述の効果を得ることができる。
【００３９】
なお、好ましくは条件式（４）、（５）の数値範囲を次のように設定するとよい。
０．７０＜ｆｐ／｜ｆｎ｜＜２．００      ・・・（４ａ）
０．２０＜｜ｆｙ／ｆｚ｜＜１．７０      ・・・（５ａ）
【００４０】
さらに好ましくは、条件式（４）、（５）の数値範囲を次のように設定するとよい。
１．００＜ｆｐ／｜ｆｎ｜＜１．８０      ・・・（４ｂ）
０．２５＜｜ｆｙ／ｆｚ｜＜１．２０      ・・・（５ｂ）
【００４１】
第Ｎ−１レンズ群および第Ｎレンズ群に含まれる接合レンズの数は１つでも複数でもよいが、１つであることが好ましい。これにより、反射率の高い空気と接する面の数を減らし、ゴーストを低減することができる。
【００４２】
第Ｎ−１レンズ群および第Ｎレンズ群の少なくとも一方が、負の屈折力を有するレンズ群であることが好ましい。ズームレンズの比較的像側に負の屈折力を有するレンズ群を配置することにより、ズームレンズをテレフォトタイプとして構成することができ、レンズ全長を短くすることができる。
【００４３】
第２レンズ群を構成する全てのレンズと開口絞りよりも物体側に配置される全てのレンズとのうち少なくとも一方は、球面レンズであることが好ましい。これにより、歪曲収差以外の諸収差に関して高い補正効果を得ることができる。特に、撮像後に電子的に歪曲収差の補正を行う場合に、収差の少ない画像を得ることができるため有利である。
【００４４】
以下、具体的な実施例に係るズームレンズについて説明する。
【００４５】
（実施例１〜４）
図１は実施例１のズームレンズＺＬの無限遠合焦時の広角端における断面図である。図２は実施例１のズームレンズＺＬの無限遠合焦時の収差図である。図２（Ａ）は広角端、図２（Ｂ）は中間のズーム位置、図２（Ｃ）は望遠端における収差を示している。
【００４６】
図３は実施例２のズームレンズＺＬの無限遠合焦時の広角端における断面図である。図４は実施例２のズームレンズＺＬの無限遠合焦時の収差図である。図４（Ａ）は広角端、図４（Ｂ）は中間のズーム位置、図４（Ｃ）は望遠端における収差を示している。
【００４７】
図５は実施例３のズームレンズＺＬの無限遠合焦時の広角端における断面図である。図６は実施例３のズームレンズＺＬの無限遠合焦時の収差図である。図６（Ａ）は広角端、図６（Ｂ）は中間のズーム位置、図６（Ｃ）は望遠端における収差を示している。
【００４８】
図７は実施例４のズームレンズＺＬの無限遠合焦時の広角端における断面図である。図８は実施例４のズームレンズＺＬの無限遠合焦時の収差図である。図８（Ａ）は広角端、図８（Ｂ）は中間のズーム位置、図８（Ｃ）は望遠端における収差を示している。
【００４９】
実施例１〜４のズームレンズＺＬは、主な構成は共通しており、使用しているレンズの材料の種類、レンズ面の形状などが異なる。そこで、実施例１〜４のズームレンズに共通する構成について説明する。
【００５０】
実施例１〜４のズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる。第５レンズ群Ｌ５が前述の第Ｎ−１レンズ群Ｙに相当し、第６レンズ群Ｌ６が前述の第Ｎレンズ群Ｚに相当する。また、第３レンズ群Ｌ３が開口絞りＳＰを有する。ズームレンズＺＬにおいて、ズーミングに際して各レンズ群が移動し、隣り合うレンズ群の間隔が変化する。なお、ズーミングに際して第４レンズ群Ｌ４と第６レンズ群Ｌ６は同一の軌跡で（一体で）移動する。これにより、駆動用のカム機構を簡素化することができる。
【００５１】
第５レンズ群Ｌ５および第６レンズ群Ｌ６のそれぞれは１つの接合レンズを有し、これらの接合レンズは１枚の正レンズと１枚の負レンズからなる。
【００５２】
実施例１〜４のズームレンズＺＬにおいて、無限遠物体から最近距離物体へのフォーカシングに際して、第５レンズ群Ｌ５が像側へ移動する。その他のレンズ群はフォーカシングに際して不動である。
【００５３】
（実施例５）
図９は実施例５のズームレンズＺＬの無限遠合焦時の広角端における断面図である。図１０は実施例５のズームレンズＺＬの無限遠合焦時の収差図である。図１０（Ａ）は広角端、図１０（Ｂ）は中間のズーム位置、図１０（Ｃ）は望遠端における収差を示している。
【００５４】
実施例５のズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、負の屈折力の第７レンズ群Ｌ７からなる。第６レンズ群Ｌ６が前述の第Ｎ−１レンズ群Ｙに相当し、第７レンズ群Ｌ７が前述の第Ｎレンズ群Ｚに相当する。また、第３レンズ群Ｌ３が開口絞りＳＰを有する。ズームレンズＺＬにおいて、ズーミングに際して各レンズ群が移動し、隣り合うレンズ群の間隔が変化する。本実施例では、各々のレンズ群が異なる軌跡で移動する。
【００５５】
第６レンズ群Ｌ６および第７レンズ群Ｌ７のそれぞれは１つの接合レンズを有し、これらの接合レンズは１枚の正レンズと１枚の負レンズからなる。
【００５６】
実施例５のズームレンズＺＬにおいて、無限遠物体から最近距離物体へのフォーカシングに際して、第６レンズ群Ｌ６が像側へ移動する。その他のレンズ群はフォーカシングに際して不動である。
【００５７】
（実施例６）
図１１は実施例６のズームレンズＺＬの無限遠合焦時の広角端における断面図である。図１２は実施例６のズームレンズＺＬの無限遠合焦時の収差図である。図１２（Ａ）は広角端、図１２（Ｂ）は中間のズーム位置、図１２（Ｃ）は望遠端における収差を示している。
【００５８】
実施例６のズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５からなる。第４レンズ群Ｌ４が前述の第Ｎ−１レンズ群Ｙに相当し、第５レンズ群Ｌ５が前述の第Ｎレンズ群Ｚに相当する。また、第３レンズ群Ｌ３が開口絞りＳＰを有する。ズームレンズＺＬにおいて、ズーミングに際して各レンズ群が移動し、隣り合うレンズ群の間隔が変化する。本実施例では、各々のレンズ群が異なる軌跡で移動する。
【００５９】
第４レンズ群Ｌ４および第５レンズ群Ｌ５のそれぞれは１つの接合レンズを有し、これらの接合レンズは１枚の正レンズと１枚の負レンズからなる。
【００６０】
実施例６のズームレンズＺＬにおいて、無限遠物体から最近距離物体へのフォーカシングに際して、第４レンズ群Ｌ４が像側へ移動する。その他のレンズ群はフォーカシングに際して不動である。
【００６１】
（数値実施例）
以下に、実施例１〜６のそれぞれに対応する数値実施例１〜６を示す。また、数値実施例１〜６において、面番号は、物体側からの光学面の順序を示す。ｒは光学面の曲率半径（ｍｍ）、ｄは隣り合う光学面の間隔（ｍｍ）、ｎｄはｄ線における光学部材の材料の屈折率、νｄはｄ線を基準とした光学部材の材料のアッベ数を示す。アッベ数の定義は前述のとおりである。ＢＦはバックフォーカスを示す。
【００６２】
非球面は各数値実施例中の面番号の右側に＊印を付している。非球面形状は光軸方向をＸ軸、光軸と垂直方向をＨ軸、光の進行方向を正、Ｒを近軸曲率半径、Ｋを円錐定数、Ａ４、Ａ６、Ａ８、Ａ１０、Ａ１２をそれぞれ非球面係数とするとき、
【００６３】
【数１】
2020086304.tif 000003
【００６４】
で表している。非球面係数の「ｅ±ｘ」は１０±ｘを意味する。
【００６５】
数値実施例１〜６のそれぞれにおける、条件式（１）〜（５）に対応する値を表１に示す。
【００６６】
（数値実施例１）
単位 mm
面データ
面番号       r        d      nd         vd       有効径
1        159.512    1.90   1.95375    32.3       59.01
2         94.783    7.64   1.49700    81.5       58.04
3       -280.281    0.15                         57.80
4         74.183    5.04   1.49700    81.5       55.47
5        210.431  (可変)                         54.77
6        209.593    1.48   1.83481    42.7       33.71
7         22.877    5.59                         27.22
8       -103.251    1.15   1.77250    49.6       26.99
9         35.973    1.91   2.00069    25.5       25.26
10         51.242    0.20                         24.76
11         35.923    4.14   1.85478    24.8       24.45
12       -149.524    1.49                         23.63
13        -40.545    1.05   1.80400    46.6       23.29
14       2715.531  (可変)                         22.45
15(絞り)    ∞       0.20                         19.96
16         61.579    2.82   1.83481    42.7       20.41
17        -93.492    0.15                         20.51
18         37.023    4.69   1.49700    81.5       20.40
19        -30.400    0.85   2.00100    29.1       20.05
20        -83.562    1.00                         20.07
21       -511.216    0.86   2.00100    29.1       19.74
22         54.812    2.20                         19.57
23        -44.042    0.80   1.48749    70.2       19.61
24         44.611    2.79   2.00069    25.5       20.46
25       -607.875  (可変)                         20.58
26*        38.604    5.22   1.58313    59.4       21.62
27*       -38.617    0.18                         22.18
28      -1125.480    1.00   2.00069    25.5       22.35
29         40.393    6.90   1.48749    70.2       22.52
30        -30.465  (可変)                         23.39
31         66.593    2.37   1.89286    20.4       23.99
32        560.562    0.90   1.83481    42.7       23.78
33         28.225  (可変)                         23.28
34        -40.778    1.11   1.91082    35.3       25.35
35        362.635    3.46   1.78472    25.7       27.32
36        -56.995  (可変)                         28.22
像面        ∞
非球面データ
第26面
K = 0.00000e+000  A 4=-1.21184e-005  A 6= 9.60901e-009  A 8= 1.00214e-010
A10=-1.03515e-012  A12= 3.97208e-015
第27面
K = 0.00000e+000  A 4= 1.23845e-005  A 6=-1.68216e-009  A 8= 6.82894e-011
A10=-7.71348e-013  A12= 3.45382e-015
各種データ
ズーム比     10.92
広角     中間     望遠
焦点距離      24.72    88.33   270.00
Fナンバー      4.12     5.40     6.49
半画角（度）  38.69    13.76     4.58
像高          19.80    21.64    21.64
レンズ全長   144.13   194.09   243.52
BF            13.50    51.00    73.50
d 5            0.78    37.66    77.11
d14           27.67    12.40     3.24
d25           13.55     4.40     1.03
d30           10.82     5.26     2.06
d33            8.56    14.11    17.31
d36           13.50    51.00    73.50
入射瞳位置    32.23   103.25   304.07
射出瞳位置   -44.09   -36.88   -35.26
前側主点位置  46.34   102.80   -96.24
後側主点位置 -11.22   -37.33  -196.50
ズームレンズ群データ
群  始面    焦点距離  レンズ構成長  前側主点位置  後側主点位置
1    1     136.97        14.74         3.52         -6.10
2    6     -21.04        17.01         3.66         -7.76
3   15      60.91        16.38        -4.79        -14.96
4   26      32.86        13.29         4.41         -4.84
5   31     -64.18         3.27         3.32          1.50
6   34    -122.92         4.57        -4.24         -7.00
単レンズデータ
レンズ  始面  焦点距離
1       1   -248.46
2       2    143.49
3       4    227.73
4       6    -30.87
5       8    -34.41
6       9    113.54
7      11     34.24
8      13    -49.68
9      16     44.84
10      18     34.38
11      19    -48.12
12      21    -49.42
13      23    -45.33
14      24     41.62
15      26     33.95
16      28    -38.95
17      29     36.80
18      31     84.45
19      32    -35.63
20      34    -40.19
21      35     62.99
【００６７】
（数値実施例２）
単位 mm
面データ
面番号       r        d      nd         vd       有効径
1        131.399    1.85   1.90366    31.3       56.83
2         68.561    8.49   1.49700    81.5       55.44
3       -730.653    0.15                         55.12
4         68.792    6.48   1.61800    63.4       53.52
5        664.437  (可変)                         52.76
6        243.528    1.28   1.85150    40.8       27.59
7         20.583    4.73                         22.38
8        -56.381    1.09   1.85150    40.8       21.97
9         45.818    0.46                         20.78
10         35.871    4.51   1.92286    20.9       20.58
11        -61.247    0.84                         19.64
12        -32.368    1.03   1.77250    49.6       19.45
13        821.472  (可変)                         18.64
14(絞り)    ∞       0.35                         16.32
15         27.034    3.05   1.76182    26.5       17.03
16       -852.680    0.15                         16.92
17         19.840    3.53   1.58144    40.8       16.65
18          ∞       0.82   2.00100    29.1       15.95
19         20.522    2.70                         15.21
20         35.803    0.80   2.00069    25.5       15.50
21         18.888    3.99   1.72000    43.7       15.26
22        -63.451    2.27                         15.19
23        -26.036    0.80   2.00100    29.1       14.80
24       -164.761  (可変)                         15.10
25*        45.628    2.42   1.53110    55.9       21.58
26*       246.555    0.90                         22.57
27       -170.519    1.25   1.85478    24.8       22.75
28        170.589    5.53   1.59282    68.6       23.82
29        -26.647    0.15                         25.08
30         45.538    6.19   1.49700    81.5       27.28
31        -45.788  (可変)                         27.38
32         93.245    1.81   1.80518    25.4       25.57
33        304.630    1.10   1.63854    55.4       25.27
34         23.508  (可変)                         24.12
35        -53.590    1.28   1.83481    42.7       27.19
36         53.854    4.88   1.84666    23.8       29.26
37       -109.597  (可変)                         30.00
像面        ∞
非球面データ
第25面
K = 0.00000e+000  A 4=-3.69428e-006  A 6=-1.81514e-007  A 8= 1.12707e-009
A10=-1.37724e-011  A12= 4.19334e-014
第26面
K = 0.00000e+000  A 4= 2.68822e-005  A 6=-1.85641e-007  A 8= 9.59349e-010
A10=-1.18429e-011  A12= 3.67346e-014
各種データ
ズーム比      9.42
広角     中間     望遠
焦点距離      24.72    85.00   232.80
Fナンバー      4.12     5.66     6.41
半画角（度）  37.55    14.28     5.31
像高          19.00    21.64    21.64
レンズ全長   142.00   183.82   214.00
BF            15.78    45.06    57.20
d 5            1.34    32.74    59.28
d13           22.25     8.64     2.35
d24            8.46     3.21     1.00
d31            3.73     4.64     1.50
d34           15.54    14.63    17.77
d37           15.78    45.06    57.20
入射瞳位置    30.57    98.84   259.37
射出瞳位置   -58.97   -44.91   -42.49
前側主点位置  47.11   103.54   -51.47
後側主点位置  -8.94   -39.94  -175.60
ズームレンズ群データ
群  始面    焦点距離  レンズ構成長  前側主点位置  後側主点位置
1    1     103.63        16.97         5.21         -5.67
2    6     -16.74        13.94         2.74         -6.83
3   14      60.67        18.47       -20.76        -25.35
4   25      22.87        16.44         7.17         -4.32
5   32     -53.51         2.91         2.47          0.75
6   35    -138.27         6.16        -3.59         -7.12
単レンズデータ
レンズ  始面  焦点距離
1       1   -160.90
2       2    126.56
3       4    123.65
4       6    -26.47
5       8    -29.54
6      10     25.07
7      12    -40.29
8      15     34.45
9      17     34.12
10      18    -20.50
11      20    -40.92
12      21     20.63
13      23    -30.98
14      25    104.98
15      27    -99.60
16      28     39.29
17      30     47.00
18      32    166.25
19      33    -39.95
20      35    -32.00
21      36     43.24
【００６８】
（数値実施例３）
単位 mm
面データ
面番号       r        d      nd         vd       有効径
1        169.716    2.00   1.90366    31.3       64.56
2         92.911    7.62   1.49700    81.5       63.38
3       -407.317    0.15                         63.26
4         76.967    5.97   1.48749    70.2       61.01
5        412.709  (可変)                         60.63
6        240.416    1.51   2.00100    29.1       31.05
7         24.676    5.15                         25.98
8        -68.764    1.40   1.60311    60.6       25.76
9         26.617    5.27   1.92286    20.9       23.76
10       -223.591    1.78                         22.73
11        -35.544    1.13   1.76385    48.5       22.45
12       -161.627  (可変)                         21.87
13(絞り)    ∞       0.40                         18.82
14         31.089    3.37   1.71736    29.5       19.62
15       -196.005    0.20                         19.54
16         24.797    3.84   1.59551    39.2       19.15
17       -231.768    0.95   2.00100    29.1       18.44
18         25.526    1.68                         17.61
19         43.467    0.90   2.00069    25.5       17.73
20         20.795    4.29   1.76200    40.1       17.44
21        -81.875    1.84                         17.35
22        -29.622    1.05   2.00100    29.1       17.09
23       -105.619  (可変)                         17.43
24*        45.337    4.43   1.58313    59.4       22.13
25*       -46.205    0.20                         22.88
26       -139.129    1.23   1.85478    24.8       23.17
27        286.814    5.70   1.49700    81.5       23.69
28        -24.254  (可変)                         24.43
29       -599.361    3.41   1.84666    23.8       23.98
30        -73.676    1.00   1.54814    45.8       23.97
31         28.450  (可変)                         23.65
32        -55.050    1.50   1.77250    49.6       27.86
33       1340.571    3.66   1.89286    20.4       29.43
34       -108.676  (可変)                         30.52
像面        ∞
非球面データ
第24面
K = 0.00000e+000  A 4=-6.42961e-006  A 6=-3.43999e-009  A 8=-1.14491e-010
A10= 1.66468e-012  A12=-2.03424e-014
第25面
K = 0.00000e+000  A 4= 2.17161e-005  A 6=-4.07280e-009  A 8=-7.05450e-011
A10= 1.39799e-012  A12=-1.84311e-014
各種データ
ズーム比     10.92
広角     中間     望遠
焦点距離      24.72    85.00   270.00
Fナンバー      4.12     5.66     6.40
半画角（度）  37.25    14.28     4.58
像高          18.80    21.64    21.64
レンズ全長   146.52   194.29   244.52
BF            12.42    44.64    65.40
d 5            1.05    40.47    80.95
d12           27.43    11.40     2.92
d23           12.25     4.41     1.89
d28            7.38     5.86     1.50
d31           14.36    15.88    20.25
d34           12.42    44.64    65.40
入射瞳位置    32.03   109.71   340.60
射出瞳位置   -56.02   -43.11   -41.97
前側主点位置  47.82   112.37   -68.38
後側主点位置 -12.30   -40.36  -204.60
ズームレンズ群データ
群  始面    焦点距離  レンズ構成長  前側主点位置  後側主点位置
1    1     136.69        15.74         4.23         -6.12
2    6     -20.35        16.24         3.00         -8.03
3   13      61.58        18.50       -15.04        -22.20
4   24      27.82        11.56         4.57         -3.40
5   29     -60.12         4.41         2.43         -0.05
6   32    -184.96         5.16        -4.24         -7.19
単レンズデータ
レンズ  始面  焦点距離
1       1   -230.03
2       2    152.99
3       4    192.95
4       6    -27.57
5       8    -31.64
6       9     26.04
7      11    -59.88
8      14     37.64
9      16     37.83
10      17    -22.93
11      19    -40.65
12      20     22.16
13      22    -41.41
14      24     39.96
15      26   -109.45
16      27     45.27
17      29     98.92
18      30    -37.31
19      32    -68.42
20      33    112.72
【００６９】
（数値実施例４）
単位 mm
面データ
面番号       r        d      nd         vd       有効径
1        160.221    1.90   1.95375    32.3       58.60
2         93.202    7.24   1.49700    81.5       57.62
3       -355.244    0.15                         57.41
4         67.493    5.57   1.49700    81.5       55.24
5        207.841  (可変)                         54.52
6        263.549    1.27   1.83481    42.7       30.06
7         22.022    4.85                         25.06
8       -107.080    1.15   1.77250    49.6       24.89
9         34.045    2.35   2.00069    25.5       23.63
10         72.851    0.20                         23.21
11         35.458    3.47   1.85478    24.8       22.75
12       -679.829    1.93                         21.96
13        -43.270    1.05   1.80400    46.6       21.17
14        195.764  (可変)                         20.42
15(絞り)    ∞       0.20                         19.45
16         69.306    2.80   1.83481    42.7       19.86
17        -74.038    0.15                         20.01
18         31.940    4.60   1.49700    81.5       19.92
19        -33.745    0.85   2.00100    29.1       19.55
20        -99.038    1.00                         19.51
21        867.877    0.80   2.00100    29.1       19.14
22         49.128    2.28                         18.92
23        -39.363    0.80   1.48749    70.2       18.95
24         43.763    2.65   2.00069    25.5       19.71
25      -3496.878  (可変)                         19.80
26*        37.033    5.49   1.58313    59.4       23.42
27*       -34.575    0.16                         23.74
28       -257.276    1.24   2.00069    25.5       23.70
29         42.403    6.48   1.48749    70.2       23.80
30        -29.489  (可変)                         24.34
31        115.205    2.12   1.89286    20.4       23.83
32      -2834.309    0.90   1.83481    42.7       23.64
33         41.143  (可変)                         23.29
34        -62.297    1.50   1.91082    35.3       26.17
35         28.301    7.93   1.78472    25.7       28.43
36       -137.170  (可変)                         29.95
像面        ∞
非球面データ
第26面
K = 0.00000e+000  A 4=-1.26782e-005  A 6= 5.43225e-010  A 8= 2.59098e-010
A10=-1.99055e-012  A12= 7.81368e-015
第27面
K = 0.00000e+000  A 4= 1.58893e-005  A 6=-1.36496e-008  A 8= 2.24824e-010
A10=-1.69414e-012  A12= 7.40113e-015
各種データ
ズーム比      9.64
広角     中間     望遠
焦点距離      27.99    90.00   270.00
Fナンバー      4.12     5.40     6.49
半画角（度）  35.27    13.52     4.58
像高          19.80    21.64    21.64
レンズ全長   144.03   190.80   235.98
BF            13.41    44.92    62.97
d 5            1.13    37.33    75.91
d14           25.10    11.71     3.08
d25           11.37     3.81     1.00
d30            5.53     4.11     1.51
d33           14.42    15.83    18.43
d36           13.41    44.92    62.97
入射瞳位置    31.76   102.67   304.20
射出瞳位置   -42.49   -36.18   -34.72
前側主点位置  45.73    92.80  -172.06
後側主点位置 -14.58   -45.08  -207.03
ズームレンズ群データ
群  始面    焦点距離  レンズ構成長  前側主点位置  後側主点位置
1    1     133.93        14.85         3.30         -6.38
2    6     -19.77        16.27         3.73         -6.96
3   15      54.56        16.13        -4.89        -14.73
4   26      32.35        13.36         4.38         -4.87
5   31     -81.53         3.02         2.66          1.02
6   34     -77.79         9.43        -2.06         -7.51
単レンズデータ
レンズ  始面  焦点距離
1       1   -236.90
2       2    149.35
3       4    198.50
4       6    -28.85
5       8    -33.32
6       9     61.99
7      11     39.51
8      13    -43.99
9      16     43.27
10      18     33.80
11      19    -51.47
12      21    -52.05
13      23    -42.38
14      24     43.21
15      26     31.55
16      28    -36.30
17      29     36.76
18      31    124.03
19      32    -48.57
20      34    -21.20
21      35     30.54
【００７０】
（数値実施例５）
単位 mm
面データ
面番号       r        d      nd         vd       有効径
1        106.913    2.00   1.90366    31.3       54.26
2         70.021    6.89   1.49700    81.5       52.98
3        575.047    0.15                         52.47
4         70.651    6.60   1.49700    81.5       51.21
5        843.740  (可変)                         50.24
6       8705.783    1.50   1.85150    40.8       29.28
7         26.703    4.09                         24.88
8       -100.451    1.40   1.53775    74.7       24.65
9         29.309    3.67   1.89286    20.4       22.68
10        582.228    1.45                         21.91
11        -52.899    1.20   1.83481    42.7       21.68
12        236.369  (可変)                         20.95
13(絞り)    ∞       0.40                         16.39
14         37.292    3.13   1.58144    40.8       16.92
15        -91.960    0.20                         17.03
16         29.474    4.52   1.60342    38.0       17.02
17        -74.475    1.00   1.95375    32.3       16.38
18         36.941    1.17                         16.04
19         43.325    1.00   2.00100    29.1       16.18
20         22.233    3.81   1.71700    47.9       15.98
21        -84.570  (可変)                         15.95
22        -25.413    3.04   1.91650    31.6       15.93
23        -14.050    1.00   1.80100    35.0       16.32
24       -103.258  (可変)                         16.83
25*        47.545    4.96   1.58313    59.4       24.78
26*       -40.360    1.21                         25.00
27        250.856    1.50   1.85478    24.8       25.63
28         55.271    9.97   1.43875    94.7       25.85
29        -25.459  (可変)                         26.99
30        280.001    3.49   2.00069    25.5       24.85
31        -44.623    1.35   1.89190    37.1       24.65
32         35.472  (可変)                         23.73
33        -27.708    1.50   1.91650    31.6       24.77
34        200.098    6.32   1.89286    20.4       27.81
35        -44.441  (可変)                         29.87
像面        ∞
非球面データ
第25面
K = 0.00000e+000  A 4=-2.52096e-006  A 6= 5.38839e-008  A 8= 6.58401e-011  A10=-8.44353e-014  A12= 4.00412e-015
第26面
K = 0.00000e+000  A 4= 2.22129e-005  A 6= 5.42206e-008  A 8= 1.23891e-010  A10=-3.37779e-013  A12= 5.84579e-015
各種データ
ズーム比      7.86
広角     中間     望遠
焦点距離      28.00    70.00   220.00
Fナンバー      4.12     5.40     6.49
半画角（度）  34.16    17.18     5.62
像高          19.00    21.64    21.64
レンズ全長   145.16   174.63   213.85
BF            11.20    28.85    39.65
d 5            1.09    27.25    63.65
d12           23.90    12.01     2.84
d21            3.36     3.25     1.00
d24           11.36     5.48     1.00
d29            7.30     5.43     1.50
d32            8.43    13.83    25.68
d35           11.20    28.85    39.65
入射瞳位置    32.65    80.57   238.10
射出瞳位置   -52.34   -45.89   -45.18
前側主点位置  48.31    85.02  -112.49
後側主点位置 -16.80   -41.14  -180.35
ズームレンズ群データ
群  始面    焦点距離  レンズ構成長  前側主点位置  後側主点位置
1    1     122.26        15.65         2.94         -7.35
2    6     -20.09        13.32         3.51         -5.57
3   13      32.33        15.22         1.65         -8.48
4   22     -52.48         4.04        -1.55         -3.80
5   25      28.22        17.64         6.37         -7.05
6   30     -52.96         4.84         3.04          0.56
7   33     -96.52         7.82        -7.98        -13.20
単レンズデータ
レンズ  始面  焦点距離
1       1   -230.49
2       2    159.70
3       4    154.71
4       6    -31.46
5       8    -42.03
6       9     34.46
7      11    -51.68
8      14     46.04
9      16     35.58
10      17    -25.78
11      19    -46.73
12      20     24.92
13      22     30.40
14      23    -20.40
15      25     38.23
16      27    -83.23
17      28     41.28
18      30     38.67
19      31    -21.98
20      33    -26.47
21      34     41.23
【００７１】
（数値実施例６）
単位 mm
面データ
面番号       r        d      nd         vd       有効径
1         90.867    2.00   1.71736    29.5       60.17
2         62.763    8.37   1.49700    81.5       57.92
3        467.133    0.15                         57.19
4         86.446    5.63   1.49700    81.5       55.46
5        424.221  (可変)                         54.44
6        144.563    1.50   2.00100    29.1       39.47
7         24.700    9.62                         32.44
8        -65.187    1.40   1.53775    74.7       31.42
9         30.870    6.20   1.89286    20.4       29.95
10       1140.221    5.68                         29.07
11        -30.415    1.41   1.83400    37.2       27.46
12        -45.389  (可変)                         27.79
13(絞り)    ∞       0.40                         20.58
14         34.405    3.42   1.65412    39.7       21.05
15       -520.001    2.70                         20.86
16         25.984    5.01   1.64769    33.8       19.93
17       -224.877    1.00   1.95375    32.3       18.81
18         24.176    1.70                         17.88
19         36.975    1.35   1.95375    32.3       18.02
20         20.024    3.98   1.69350    50.8       17.61
21       -191.700    1.80                         17.50
22        -41.708    2.65   1.83400    37.2       17.32
23        -20.186    1.00   1.74951    35.3       17.48
24         74.292    5.84                         17.70
25*        74.841    4.00   1.58313    59.4       19.43
26*       -48.467    5.06                         20.31
27         47.804    1.50   1.90366    31.3       23.16
28         32.620    8.25   1.49700    81.5       23.06
29        -29.760  (可変)                         23.63
30       1233.213    1.35   1.91082    35.3       22.80
31         21.631    3.44   1.85478    24.8       22.29
32         49.918  (可変)                         22.16
33        -45.110    1.50   1.78590    44.2       25.53
34         39.910    7.77   1.91082    35.3       27.82
35       -105.846  (可変)                         29.13
像面        ∞
非球面データ
第25面
K = 0.00000e+000  A 4=-3.59578e-006  A 6= 1.91992e-008  A 8=-1.52359e-010
A10= 1.52529e-012  A12=-3.30375e-015
第26面
K = 0.00000e+000  A 4= 9.68797e-006  A 6= 2.15863e-008  A 8= 3.33224e-012
A10= 3.37236e-014  A12= 2.13975e-015
各種データ
ズーム比      6.16
広角     中間     望遠
焦点距離      29.24    75.66   180.00
Fナンバー     4.00     5.60     7.10
半画角（度）   33.02    15.96     6.85
像高          19.00    21.64    21.64
レンズ全長   195.00   221.93   250.55
BF            24.16    64.25    67.25
d 5            0.75    23.41    58.25
d12           45.62    16.35     2.35
d29            1.58     4.94     6.38
d32           17.20     7.30    10.64
d35           24.16    64.25    67.25
入射瞳位置    41.03    82.06   222.05
射出瞳位置   -59.72   -53.58   -55.71
前側主点位置  60.08   109.14   138.54
後側主点位置  -5.07   -11.41  -112.75
ズームレンズ群データ
群  始面    焦点距離  レンズ構成長  前側主点位置  後側主点位置
1    1     127.43        16.16         2.06         -8.67
2    6     -23.05        25.82         3.68        -15.60
3   13      38.04        49.65        36.70        -27.38
4   30     -52.56         4.79         2.41         -0.15
5   33    -199.34         9.27        -8.92        -14.46
単レンズデータ
レンズ  始面  焦点距離
1       1   -291.55
2       2    144.89
3       4    217.25
4       6    -29.95
5       8    -38.76
6       9     35.44
7      11   -115.50
8      14     49.45
9      16     36.25
10      17    -22.84
11      19    -47.65
12      20     26.35
13      22     44.41
14      23    -21.08
15      25     51.06
16      27   -119.24
17      28     32.75
18      30    -24.19
19      31     42.28
20      33    -26.74
21      34     32.65
【００７２】
【表１】
2020086304.tif 000004
【００７３】
［撮像装置の実施例］
次に、撮像装置の実施例について図１４を用いて説明する。図１４は、撮像装置１０の構成を示す図である。撮像装置１０は、カメラ本体１３と、上述した実施例１乃至６のいずれかのズームレンズＺＬを含むレンズ装置１１と、ズームレンズＺＬによって形成される像を光電変換する受光素子（撮像素子）１２を備える。受光素子１２としては、ＣＣＤセンサやＣＭＯＳセンサ等の撮像素子を用いることができる。レンズ装置１１とカメラ本体１３は一体に構成されていても良いし、着脱可能に構成されていても良い。
【００７４】
本実施例の撮像装置１０は、小型で、高ズーム比で、全ズーム範囲にわたりゴーストが生じにくく且つ高い光学性能を有する。
【００７５】
なお、本実施例の撮像装置１０は、図１４に示したデジタルスチルカメラに限らず、放送用カメラ、銀塩フィルム用カメラ、監視用カメラ等の種々の撮像装置に適用することができる。
【００７６】
以上、本発明の好ましい実施例について説明したが、本発明はこれらの実施例に限定されず、その要旨の範囲内で種々の組合せ、変形及び変更が可能である。
【００７７】
例えばズームレンズＺＬにおいてフォーカシングに際して移動するレンズ群は第Ｎ−１レンズ群Ｙや第Ｎレンズ群Ｚのみに限られない。例えば、第Ｎ−１レンズ群Ｙや第Ｎレンズ群Ｚを焦点調節のための主なフォーカスレンズ群として機能させ、その他のレンズ群を収差補正のために微小に移動させてもよい。
【００７８】
例えば、ズームレンズの一部のレンズを光軸に対して直交方向の成分を含む方向に移動することにより、像ぶれ補正を行ってもよい。また、ズームレンズが、回折光学素子等の屈折力の無い光学素子を有していても良い。
【符号の説明】
【００７９】
Ｌ１  第１レンズ群
Ｌ２  第２レンズ群
Ｌ３  第３レンズ群
Ｙ  第Ｎ−１レンズ群
Ｚ  第Ｎレンズ群
ＺＬ  ズームレンズ
【図１】
2020086304.tif 000005
【図２】
2020086304.tif 000006
【図３】
2020086304.tif 000007
【図４】
2020086304.tif 000008
【図５】
2020086304.tif 000009
【図６】
2020086304.tif 000010
【図７】
2020086304.tif 000011
【図８】
2020086304.tif 000012
【図９】
2020086304.tif 000013
【図１０】
2020086304.tif 000014
【図１１】
2020086304.tif 000015
【図１２】
2020086304.tif 000016
【図１３】
2020086304.tif 000017
【図１４】
2020086304.tif 000018